(57)【要約】      （修正有）【課題】商品選択ボタン等の自動販売機に本来備わる機能部材により、販売商品の調理工程の進捗等を表示し、製品のコストアップを抑制し、デザイン上の制約を少なくすることができるカップ式飲料自動販売機を提供する。【解決手段】点灯するランプを有する複数の商品選択ボタン４ａa〜４ｆと、商品選択ボタン４ａa〜４ｆの操作により、商品選択ボタン４ａa〜４ｆに対応する飲料の調理を開始する飲料調理手段１６と、飲料調理手段１６による飲料の調理が終了したとき複数の商品選択ボタン４ａa〜４ｆのランプを全て点滅させる調理終了表示制御手段２０と、を有することを特徴とするカップ式飲料自動販売機。【選択図】図２
2008269200.tif 000002
【特許請求の範囲】
【請求項１】
点灯するランプを有する複数の商品選択ボタンと、前記商品選択ボタンの操作により、当該商品選択ボタンに対応する飲料の調理を開始する飲料調理手段と、前記飲料調理手段による飲料の調理が終了したとき複数の前記商品選択ボタンのランプを全て点滅させる調理終了表示制御手段と、を有することを特徴とするカップ式飲料自動販売機。
【請求項２】
７セグメントＬＥＤを複数並べて配備する金額表示器と、商品を選択するための商品選択ボタンと、前記商品選択ボタンの操作により、当該商品選択ボタンに対応する飲料の調理を開始する飲料調理手段と、前記飲料調理手段による飲料の調理が終了したとき、前記金額表示器が備える複数の７セグメントＬＥＤにより、予め設定された調理終了の表示を行う調理終了表示制御手段と、を有することを特徴とするカップ式飲料自動販売機。
【請求項３】
点灯するランプを有する複数の商品選択ボタンと、前記商品選択ボタンの操作により、当該商品選択ボタンに対応する飲料の調理を開始する飲料調理手段と、前記飲料調理手段による当該飲料の調理工程の進捗に応じて、複数の前記商品選択ボタンのランプを予め設定された順序で点滅、または点灯させる調理工程表示制御手段と、を有することを特徴とするカップ式飲料自動販売機。
【請求項４】
７セグメントＬＥＤを複数並べて配備する金額表示器と、商品を選択するための商品選択ボタンと、前記商品選択ボタンの操作により、当該商品選択ボタンに対応する飲料の調理を開始する飲料調理手段と、前記飲料調理手段による当該飲料の調理工程の進捗に応じて、前記金額表示器が備える複数の７セグメントＬＥＤを予め設定した態様で、順番に点滅または点灯させる調理工程表示制御手段と、を有することを特徴とするカップ式飲料自動販売機。
【発明の詳細な説明】
【技術分野】
【０００１】
本発明は、飲料を調理して販売するカップ式飲料自動販売機に関し、特にその飲料の販売に係る調理状況を表示するカップ式飲料自動販売機に関する。
【背景技術】
【０００２】
従来のこの種のカップ式飲料自動販売機としては、先に出願公開された特開２００６−２７７４８０号公報（特許文献１）や、実開平０１―９６０８６号公報（特許文献２）に記載されるようなものが知られている。ここで、特許文献1に記載される自動販売機は、調理する飲料の種類を選定する飲料選別手段と、調理すべき飲料の工程因子毎の時間を演算する因子取得手段と、この因子取得手段での因子を元に調理飲料の調理時間を演算する演算手段と、その演算手段で算出された飲料調理時間を格納しておく飲料調理演算時間保持手段と、を備え、飲料販売時にその飲料の調理時間を算出し、飲料の調理工程を表示するランプとともにその調理時間を表示するものである。これによれば、例えば飲料購入者などに商品の調理状況と、その出来上がりまでに待つ時間を知らせることができるカップ式自動販売機を提供することができる。
【０００３】
また、特許文献２に記載の自動販売機は、複数の原料を調合して複数種類の商品を販売するカップ式自動販売機であって、複数の原料のそれぞれに対応して設けられた表示手段と、販売する商品に応じて原料が調合されるとき、その原料に対応した表示手段を駆動する表示制御手段とを備えたものである。これによれば、例えば商品の販売時に、その商品を調合するための原料の抽出状況の確認が可能で、販売商品の出来上がりの確認が容易なカップ式自動販売機を提供することができる。
【特許文献１】特開２００６−２７７４８０号公報
【特許文献２】実開平０１−９６０８６号公報
【発明の開示】
【発明が解決しようとする課題】
【０００４】
ところで、特許文献１、及び引用文献２に記載されるカップ式自動販売機においては、商品の調理工程や、商品の原料の調合状況を表示するために前述のような専用の表示器が設けられるから、製品のコストがアップする問題があった。また、そのような専用の表示器を配置する場所の確保が必要となり、デザイン上の制約が生じる問題があった。
本発明は、このような問題に対応するため、自動販売機の本体前面に設けられた販売商品を選択するための商品選択ボタンや、商品購入のための投入金額や釣銭金額を表示する金額表示機など、自動販売機に本来備わる機能部材を利用して、販売する商品の調理工程の進捗や調理完了の表示を行うことにより、製品のコストアップを抑制し、また製品のデザイン上の制約を少なくすることができるカップ式飲料自動販売を提供することを目的とするものである。
【課題を解決するための手段】
【０００５】
上記課題を解決するため、請求項１に係る発明は、カップ式飲料自動販売機において、点灯するランプを有する複数の商品選択ボタンと、前記商品選択ボタンの操作により、当該商品選択ボタンに対応する飲料の調理を開始する飲料調理手段と、前記飲料調理手段による飲料の調理が終了したとき複数の前記商品選択ボタンのランプを全て点滅させる調理終了表示制御手段と、を有するものである。
【０００６】
これによれば、前記商品選択ボタンのランプの点滅により、販売飲料の調理が終了したことを表示することができる。
また、請求項２に係る発明は、カップ式飲料自動販売機において、７セグメントＬＥＤを複数並べて配備する金額表示器と、商品を選択するための商品選択ボタンと、前記商品選択ボタンの操作により、当該商品選択ボタンに対応する飲料の調理を開始する飲料調理手段と、前記飲料調理手段による飲料の調理が終了したとき、前記金額表示器が備える複数の７セグメントＬＥＤにより、予め設定された調理終了の表示を行う調理終了表示制御手段と、を有するものである。
【０００７】
これによれば、前記７セグメントＬＥＤを備える金額表示器により、販売飲料の調理が終了したことを表示することができる。
また、請求項３に係る発明は、カップ式飲料自動販売機において、点灯するランプを有する複数の商品選択ボタンと、前記商品選択ボタンの操作により、当該商品選択ボタンに対応する飲料の調理を開始する飲料調理手段と、前記飲料調理手段による当該飲料の調理工程の進捗に応じて、複数の前記商品選択ボタンのランプを予め設定された順序で点滅、または点灯させる調理工程表示制御手段と、を有する
これによれば、複数の前記商品選択ボタンのランプを予め設定された順序で点滅、または点灯させることにより、販売飲料の調理工程の進捗状況を表示することができる。
【０００８】
また、請求項４に係る発明は、カップ式飲料自動販売機において、７セグメントＬＥＤを複数並べて配備する金額表示器と、商品を選択するための商品選択ボタンと、前記商品選択ボタンの操作により、当該商品選択ボタンに対応する飲料の調理を開始する飲料調理手段と、前記飲料調理手段による当該飲料の調理工程の進捗に応じて、前記金額表示器が備える複数の７セグメントＬＥＤを予め設定した態様で、順番に点滅または点灯させる調理工程表示制御手段と、を有するものである。
【０００９】
これによれば、前記７セグメントＬＥＤを備える金額表示器により、販売飲料の調理工程の進捗状況を表示することができる。
【発明の効果】
【００１０】
以上説明したように、請求項１に係る発明によれば、商品選択ボタンのランプの点滅により、販売飲料の調理が終了したことを表示することができ、また請求項２に係る発明によれば、７セグメントＬＥＤを備える金額表示器により、販売飲料の調理が終了したことを表示することができ、また請求項３に係る発明によれば、複数の商品選択ボタンのランプを予め設定された順序で点滅、または点灯させることにより、販売飲料の調理工程の進捗状況を表示することができ、また請求項４に係る発明によれば、７セグメントＬＥＤを備える金額表示器により、販売飲料の調理工程の進捗状況を表示することができる。すなわち、自動販売機に本来備わる商品選択ボタンや金額表示器を利用して、販売する商品の調理工程の進捗状況や調理完了の表示を行うことができる。これにより、従来例のように販売飲料の調理状況を表示する特別な表示手段を必要としないから、製品のコストアップを抑制し、また製品のデザイン上の制約が生じないカップ式飲料自動販売を提供することができる。
【発明を実施するための最良の形態】
【００１１】
本発明の実施の形態について図を参照して説明する。図１は本発明を適用するカップ式飲料自動販売機の外観を示す正面図である。図に示すようにこのカップ式飲料自動販売機は、本体１前面を覆う前扉２を備え、前扉２の前面には、販売する飲料を種類別に展示するフレーバーラベル３ａ〜３ｆと、その販売飲料を砂糖入りやミルク入り等の嗜好別に選択する複数の飲料選択ボタン（商品選択ボタン）４ａ〜４ｆと、販売飲料を取り出すための取出口５と、飲料の販売金額に応じた硬貨を投入する硬貨投入口６と、投入硬貨や釣銭の返却を行う硬貨返却レバー７と、投入硬貨や釣銭硬貨を返却する硬貨返却口８と、硬貨の投入金額や装置の稼動状態を表示する表示器（金額表示器）９と、販売飲料を調理するときその飲料原料の調合度合いを指定する飲料原料増減ボタン１０ａ〜１０ｃと、手持ちのカップ等の容器を用いて販売飲料の提供を受ける場合に操作するマイカップボタン１１等が設けられている。
【００１２】
さらに詳述すると、フレーバーラベル３ａ、３ｂに対応して種類の異なる飲料（例えば、コヒー、紅茶）を選択する飲料選択ボタン４ａ、４ｂは、それぞれ、調味料を調合しない飲料（例えばブラック）を選択する飲料選択ボタン４ａａ、４ｂａと、砂糖入り飲料を選択する飲料選択ボタン４ａｂ、4ｂｂと、クリーム入り飲料を選択する飲料選択ボタン４ａｃ、4ｂｃと、砂糖とクリームの両方入りの飲料を選択する飲料線選択ボタン４ａｄ、４ｂｄの４つに区分されて設けられている。また、飲料選択ボタン４ａ〜４ｆは、その内部に点灯するランプを備えている。
【００１３】
また、表示器は７セグメントＬＥＤを複数並べて備え、数字やアルファベットが表示可能である。
また、飲料原料増減ボタン１０ａ〜１０ｃは、クリームの量を増加する飲料原料増加ボタン１０ａａとその量を減量する飲料原料減量ボタン１０ａｂと、砂糖の量を増加する飲料原料増加ボタン１０ｂａとその量を減量する飲料原料減量ボタン１０ｂｂと、コーヒー、紅茶等の原料を増加する飲料原料増加ボタン１０ｃａとその量を減量する飲料原料減量ボタン１０ｃｂとにそれぞれ区分されて設けられている。
【００１４】
また、マイカップボタン１１が操作されると、本体１内からカップが取出口５に供給されず、手持ちのカップ等の容器を取出口５に載置して飲料容器として利用することができる。
図２は、本発明を適用するカップ式飲料自動販売機の制御構成を示す制御ブロック図である。図において、金銭処理装置１５は、硬貨投入口６から投入された硬貨の真偽や種別を識別し、飲料調理部（飲料調理手段）１６は飲料選択ボタン４ａ〜４ｆにより選択された飲料を調理し、記憶部１９は飲料選択ボタン４ａ〜４ｆにより選択された飲料を飲料調理部１６により調理するためのプログラム等を記憶し、主制御部（調理終了表示制御手段）２０はこれらの制御構成全体を制御するものである。
【００１５】
図３は、図１、図２に示されるカップ式飲料自動販売機において、顧客が飲料を購入する場合の飲料の販売動作を示すフローチャートである。先ず、顧客が硬貨投入口６から販売飲料に対応する金額の硬貨を投入し、ステップ１で、その販売飲料に対応する飲料選択ボタン例えば４ａｂが操作されると、ステップ２で、選択された飲料選択ボタン４ａｂに対応する情報が主制御部２０に入力される。そして、その飲料選択ボタン４ａｂに設けられたランプが図４（ａ）に示すように点滅する。そうすると、ステップ３で、コーヒー、紅茶等の飲料の種類や、砂糖やミルク等の嗜好別の調合が判別され、それらの情報が記憶部１９に記憶される。ついでステップ４で、当該記憶情報に基づいて、飲料調理部１６により飲料の調理が開始される。そして、飲料の調理の進捗に応じて、主制御部２０は飲料選択ボタン４ａ〜４ｆを点灯させる。例えば、飲料カップが取出口５に提供されると、ステップ５でフレーバーラベル３ａに対応する３つの飲料選択ボタン４ａａ，４ａｃ，４ａｄのランプが図４（ｂ）に示すように点灯（飲料選択ボタン４ａｂは点滅）し、続いて、コーヒー、砂糖、ミルク等の飲料原料がその飲料カップに投入されると、ステップ６でフレーバーラベル３ｂに対応する４つの飲料選択ボタン４ｂａ，４ｂｂ，４ｂｃ，４ｂｄのランプが図４（ｃ）に示すように点灯し、さらに飲料カップに湯の供給が開始されると、ステップ７でフレーバーラベル３ｃ、３ｄ、３ｅ、３ｆに対応するそれぞれの飲料選択ボタン４ｃ，４ｄ，４ｅ，４ｆのランプが図４（ｄ）に示すように注湯量に応じて順に点灯し、その後にステップ８で飲料カップへの湯の供給が停止して販売飲料の調理が終了すると、ステップ９で全ての飲料選択ボタン４ａ〜４ｆのランプが図４（ｅ）に示すように所定時間点滅し、飲料の販売動作が終了する。
【００１６】
以上のように、本発明のカップ式飲料自動販売機は、飲料の調理工程の進捗に応じて複数の商品選択ボタン４ａ〜４ｆのランプを、主制御部２０により予め設定された順序で点灯させることにより、販売飲料の調理工程の進捗状況を表示することができる。ここで、商品選択ボタン４ａ〜４ｆのランプの点灯に変えて、そのランプを点滅させても、同様に販売飲料の調理工程の進捗状況を表示することができる。また、さらに簡易的な飲料の調理工程の表示方法としては、上記のステップ４〜ステップ６までの動作を省略し、販売飲料に対応する飲料選択ボタン例えば４ａｂが操作されると、その飲料選択ボタン４ａｂに設けられたランプが点滅し、販売飲料の調理が終了すると、全ての飲料選択ボタン４ａ〜４ｆのランプが所定時間点灯または点滅し、飲料の販売動作が終了するように動作させることも可能である。
【００１７】
次に、前述の図３で示すものと異なる他の実施形態の飲料の販売動作を示す。図５は、この他の飲料の販売動作を示すフローチャートである。この実施形態においては、先ず、顧客が硬貨投入口から販売飲料に対応する金額の硬貨を投入し、ステップ１０１で、その販売飲料に対応する飲料選択ボタン例えば４ａｂが操作されると、ステップ１０２で選択された飲料選択ボタン４ａｂに対応する情報が主制御部２０に入力される。そして、その飲料選択ボタン４ａｂに設けられたランプが図４（ａ）に示すように点滅する。そうすると、ステップ１０３で、コーヒー、紅茶等の飲料の種類や、砂糖やミルク等の嗜好別の調合が判別され、それらの情報が記憶部１９に記憶される。ついでステップ１０４で、当該記憶情報に基づいて、飲料調理部１６により飲料の調理が開始される。そして、飲料の調理の進捗に応じて、主制御部２０は表示器９に複数並べて備えられた7セグメントＬＥＤを点灯させる。例えば、飲料カップが取出口５に提供されると、ステップ１０５で表示器９の左端に設けられた７セグメントＬＥＤ（９ａ）を図６（ａ）に示すように「−」の状態に点灯し、続いて、コーヒー、砂糖、ミルク等の飲料原料がその飲料カップに投入されると、ステップ１０６で表示器９の左端から二番目に設けられた７セグメントＬＥＤ（９ｂ）を図６（ｂ）に示すように「−」の状態に点灯し、さらに飲料カップに湯の供給が開始されると、ステップ１０７で表示器９の左端から三番目と右端に設けられた７セグメントＬＥＤ（９ｃ，９ｄ）が図６（ｃ）に示すように注湯量に応じて順に「−」の状態に点灯し、その後にステップ１０８で、飲料カップへの湯の供給が停止して販売飲料の調理が終了すると、ステップ１０９で表示器９が、全ての７セグメントＬＥＤ（９ａ〜９ｄ）により図６（ｄ）に示すように「Ｅｎｄ」の態様を点灯して所定時間表示し、飲料の販売動作が終了する。このように、飲料の調理工程の進捗に応じて表示器９の７セグメントＬＥＤを、主制御部２０により予め設定された順序で点灯させることにより、販売飲料の調理工程の進捗状況を表示することができる。
【００１８】
ここで、７セグメントＬＥＤの点灯に変えて、それを点滅状態としても、同様に販売飲料の調理工程の進捗状況を当然に表示することができる。また、さらに簡易的な飲料の調理工程の表示方法としては、上記のステップ１０４〜ステップ１０６までの動作を省略し、販売飲料に対応する飲料選択ボタン例えば４ａｂが操作されると、その飲料選択ボタン４ａｂに設けられたランプが点滅し、販売飲料の調理が終了すると、表示器９が「Ｅｎｄ」の態様を点灯または点滅して所定時間表示し、飲料の販売動作が終了するように動作させることも可能である。
【００１９】
以上のように、本実施形態のカップ式飲料自動販売機によれば、（イ）商品選択ボタン４ａ〜４ｆのランプの点滅により、販売飲料の調理が終了したことを表示することができ、また、（ロ）７セグメントＬＥＤを備える金額表示器により「Ｅｎｄ」の態様を表示することにより、販売飲料の調理が終了したことを表示することができ、また、（ハ）複数の商品選択ボタン４ａ〜４ｆのランプを予め設定された順序で点灯、または点滅させることにより、販売飲料の調理工程の進捗状況を表示することができ、また、（ニ）複数の７セグメントＬＥＤを備える金額表示器において、その７セグメントＬＥＤを所定の態様で、予め設定された順序に点灯または点滅させることにより、販売飲料の調理工程の進捗状況を表示することができる。すなわち、自動販売機に本来備わる商品選択ボタン４ａ〜４ｆや金額表示器９を利用して、販売する商品の調理工程の進捗状況や調理完了の表示を行うことができる。これにより、従来例のように販売飲料の調理状況を表示する特別な表示手段を必要としないから、製品のコストアップを抑制し、また製品のデザイン上の制約が生じないカップ式飲料自動販売を提供することができる。
【００２０】
なお、本発明は、言うまでもなく本実施の形態に示すカップ式飲料自動販売機にのみ限定されず、その趣旨の包含する範囲で応用変更が可能である。例えば、商品選択ボタンを点灯、点滅させる順序や、表示器が備える７セグメントＬＥＤの表示態様等は、本実施の形態に限定されるものではなく、状況に応じて自在に設定してももちろん良い。
【図面の簡単な説明】
【００２１】
【図１】本発明を適用するカップ式飲料自動販売機の外観を示す正面図である。
【図２】本発明を適用するカップ式飲料自動販売機の制御構成を示す制御ブロック図である。
【図３】本発明を適用するカップ式飲料自動販売機において、顧客が飲料を購入する場合の飲料の（商品選択ボタンに係る）販売動作を示すフローチャートである。
【図４】本発明を適用するカップ式飲料自動販売機において、販売飲料の調理工程の進捗に応じて点灯、点滅する商品選択ボタンのランプの動作を順に示す状態図である。
【図５】本発明を適用するカップ式飲料自動販売機において、顧客が飲料を購入する場合の飲料の（表示器の７セグメントＬＥＤに係る）販売動作を示すフローチャートである。
【図６】本発明を適用するカップ式飲料自動販売機において、販売飲料の調理工程の進捗に応じて点灯、点滅する表示器の７セグメントＬＥＤの動作を順に示す状態図である。
【符号の説明】
【００２２】
４ａａ，４ａｂ，４ａｃ，４ａｄ  飲料選択ボタン（商品選択ボタン）  
４ｂａ，４ｂｂ，４ｂｃ，４ｂｄ  飲料選択ボタン（商品選択ボタン）  
４ｃ  飲料選択ボタン（商品選択ボタン）
４ｄ  飲料選択ボタン（商品選択ボタン）
４ｅ  飲料選択ボタン（商品選択ボタン）
４ｆ  飲料選択ボタン（商品選択ボタン）
９  表示器（金額表示器）
９ａ  ７セグメントＬＥＤ
９ｂ  ７セグメントＬＥＤ
９ｃ  ７セグメントＬＥＤ
９ｄ  ７セグメントＬＥＤ
１６  飲料調理部（飲料調理手段）
２０  主制御部（調理終了表示制御手段）
【図１】
2008269200.tif 000003
【図２】
2008269200.tif 000004
【図３】
2008269200.tif 000005
【図４】
2008269200.tif 000006
【図５】
2008269200.tif 000007
【図６】
2008269200.tif 000008